(57)【要約】【課題】  ベルトの変位に起因する影響を受けることなく、ベルト上に固着た異物を十分に除去できるベルト清浄具を備えるベルトドライブシステムを提供する。【解決手段】  本発明によるベルトドライブシステムに備わるベルト用プーリー１０は、略円盤状を成すプーリー本体１０ａにベルト清浄具１が固定されたものである。プーリー本体１０ａは、主として、外周壁に凹凸が形成された回動部１１と固定部１２とから構成されている。ベルト清浄具１は、回動部１１の曲率に応じて弧状に延在する複数の平板部材２と、それらの一方端部に跨って接合された略コの字状を成す支持体３とを有しており、ＶリブドベルトＶｂの摺動によってＶ溝が形成された面Ｓｍに固着し得る異物が剥離・除去される。【選択図】  図２
2005172043.tif 000002
【特許請求の範囲】
【請求項１】
帯状を成し且つ駆動可能に設けられたベルトの少なくとも一側に形成された溝条の内面に対向し一定の間隙を有するように突設して配置される掻取部と、
前記掻取部に接合されており、該掻取部が前記ベルトの動きに対して相対的に静止するように該掻取部を保持する保持部と、
を備えており、
前記掻取部が、前記ベルトの曲折部又は該曲折部の近傍に定置されるものであり、且つ、前記溝条に沿って延在可能なように弧状を成すものである、
ベルト清浄具。
【請求項２】
請求項１記載のベルト清浄具と、
略円盤状を成し、前記ベルトの一方面と接触する外周壁を含み回動可能に設けられた回動部、及び該回動部よりも芯側に設けられた固定部を有するプーリー本体と、
を備えるベルト用プーリー。
【請求項３】
前記保持部は、前記プーリー本体の前記固定部に取り付けられたものである、
請求項２記載のベルト用プーリー。
【請求項４】
内燃機関に備わるクランクシャフトに接続された第１のプーリーと、
内燃機関に備わる補機に接続された第２のプーリーと、
帯状を成し、少なくとも一側に溝条が形成されており、前記第１のプーリーと前記第２のプーリーとを結ぶ閉ループが形成されるように設けられたベルトと、
請求項２又は３に記載のベルト用プーリーと、
を備えるベルトドライブシステム。
【発明の詳細な説明】
【技術分野】
【０００１】
本発明は、ベルト清浄具、ベルト用プーリー、及びベルトドライブシステムに関し、詳しくは、車両等の動機に備わる内燃機関の補機を駆動するベルトに堆積又は固着した異物を除去するベルト清浄具、それを有するプーリー、及び、それを備えるベルトドライブシステムに関する。
【背景技術】
【０００２】
一般に、内燃機関を備える車両等の動機には、オルタネーター、ウォーターポンプ、パワーステアリング、エアコンディショナーといった種々の補機が備えられ、通常、これらは、内燃機関のクランクシャフトに連結されたプーリー（クランクシャフトプーリー）に掛け渡されたベルトによって駆動される。このようなプーリーやベルトとしては、各種のものが用いられているが、プーリーからのベルトの外れや滑落を防止すべく、いわゆるＶプーリーとＶリブドベルトとの組み合わせが多用される傾向にある。すなわち、円盤状を成すプーリーにおいてベルトと接する外周壁にＶ溝が形成されており、ベルトには、そのＶ溝によって形成される凹凸（山と谷）に嵌合するような溝条が形成されている。
【０００３】
このようなベルトを用いた補機のドライブ（駆動）システムでは、プーリーとの接触によってベルトが磨耗したり、プーリー／ベルト間に混入した異物等によって磨耗が更に進展したりして、ベルトの磨耗粉が発生する傾向にある。そのような磨耗粉や異物は、特にベルトの溝部（谷の部分）に集積し易く、プーリーとベルトとの噛み合いによって圧積され固着する傾向にある。こうなると、ベルトが滑って空回りしたり、最終的にはベルトが破損してしまったりといった不具合が生じるおそれがある。また、異物が付着した状態で放置すると、そこを起点として更に異物の堆積が促進されてしまい、上記の不具合が一層顕著となってしまう。
【０００４】
このような問題を克服するために、Ｖプーリーの近傍にＶベルトの凹凸形状部に対向してガイドを配置したＶベルト伝動装置（特許文献１）、プーリーのＶ溝に係合接触するように設けられた清浄ブラシを有するポリＶベルト用プーリーの清浄装置（特許文献２）、ＶリブドベルトのＶ溝に対向してブラシ手段を近接又は摺接させたＶリブドベルトの異物除去装置（特許文献３）、等の種々の装置が提案されている。
【特許文献１】実開昭５８−２５８４９号マイクロフィルム
【特許文献２】実開昭６１−６６２５８号公報
【特許文献３】実開昭５８−１５１７３７号公報
【発明の開示】
【発明が解決しようとする課題】
【０００５】
しかし、本発明者は、上記従来装置について詳細に検討したところ、以下の問題点があることを見出した。すなわち、特許文献１に記載された装置は、ベルトへの異物の侵入を排除することを企図したものであるが、ベルトから発生する磨耗粉を積極的に除去することが困難な傾向にある。また、特許文献２に記載された装置は、プーリーに付着した異物等を除去し得るものの、何らかの要因によってベルトのＶ溝に固着してしまった異物を除去することは困難である。
【０００６】
さらに、特許文献３に記載された装置では、Ｖ溝に異物が付着したＶリブドベルトが駆動すると、ブラシ手段がその異物を払い取るように摺動し、異物が取り除かれ得る。しかし、特許文献３に開示されているようにブラシ手段が配置されるプーリー間におけるＶリブドベルトの直線路では、Ｖリブドベルトの変位が比較的大きく、Ｖリブドベルトとブラシ手段との接触が不十分又は断続的になってしまい、異物が十分に除去されないおそれがある。また、そのようにＶリブドベルトの変位が元来比較的大きい部位においてＶリブドベルトがブラシ手段と接触すると、Ｖリブドベルトが更に振動してしまう可能性がある。こうなると、Ｖリブドベルトの変位が更に増大してしまい、異物の除去が殊に不十分となるおそれがある。また、かかる不都合な振動の発生により、補機の円滑な駆動が損なわれる事態も想定される。
【０００７】
さらに、特許文献３には、ブラシ手段として櫛状凸部及びブラシが開示されている。しかし、これらがＶリブドベルトの摺動面と接触する際（ブラシ手段が定常状態でＶリブドベルトと接触していなくても、上述したベルトの変位によって接触する可能性がある）に、それらの先端に力（応力）が集中してしまい、その結果、そのベルト面を局所的に損傷してしまうことも考えられる。
【０００８】
またさらに、ブラシのような細線の集合体をブラシ手段として用いた場合、固着した異物において細線と接しない部分が生じ得るので、結果として、十分な異物除去能が発現されない傾向にある。特に、内燃機関の高出力運転時には、Ｖリブドベルトの回転数が増大することに伴って、異物が圧縮且つ引き伸ばされて長く連続してＶ溝に固着してしまうことも想定される。こうなると、かかるブラシ手段では異物除去がより一層困難となり、しかも、Ｖリブドベルトが振動した状態では、上述の如く、ブラシ手段による異物の除去は更に一層困難となり得る。
【０００９】
そこで、本発明はかかる事情に鑑みてなされたものであり、ベルトの振動や変位に起因する影響を受けることなく、ベルトに異物が強固に固着してしまうことを防止でき、及び、ベルト上に堆積して固着してしまった異物を十分に除去できるベルト清浄具、ベルト用プーリー、及びベルトドライブシステムを提供することを目的とする。
【課題を解決するための手段】
【００１０】
上記課題を解決するために、本発明によるベルト清浄具は、帯状を成し且つ駆動可能に設けられたベルトの少なくとも一側に形成された断面凹状を成すような溝条の内面に対向し一定の間隙を有するように突設して配置される掻取部と、その掻取部に接合されており、その掻取部がベルトの動きに対して相対的に静止するようにその掻取部を保持する保持部とを備えており、掻取部が、ベルトの曲折部又はその曲折部の近傍に定置されるものであって溝条に沿って延在可能なように弧状を成すものである。
【００１１】
このように構成されベルト清浄具は、ベルトが設けられた場合に、そのベルトの溝条（例えば、ＶリブドベルトのＶ溝）に対向して、掻取部が一定の間隔で突設配置されるので、ベルトが動く際に、掻取部は、通常はベルトと接触することなく、異物が溝条に堆積又は固着したときに異物と接触し得る。また、掻取部は、保持部によって保持されているので、例えば、ベルトがプーリーに掛け渡され引き回されるような場合に、異物が堆積又は固着したときの状態を予め把握しておき、それに基づいて掻取部とベルトとの一定間隔を調整することにより、ベルトの溝条に異物が堆積又は固着したときにそれを有効に除去し得る。
【００１２】
このとき、掻取部がベルトの曲折部又はその曲折部の近傍、すなわちプーリー等によって引き回されるときの支持位置又はその近傍に定置されるものであるので、ベルトの駆動によって発生し得る不可避的な振動の影響を受け難く、よってベルトの変位が殆どなく、異物と掻取部との十分且つ連続的な接触が担保される。また、そのようなベルトの曲折部又はその曲折部の近傍に掻取部が定置されるので、両者が接触してもベルトを不都合に振動させてしまうことが抑えられる。さらに、掻取部がベルトの溝条に沿って延在可能なように弧状を成すように形成されているので、ベルトとの接触箇所（面）が鋭端となり難く、ベルトが摺動する際に応力の集中が抑えられる。よって、ベルトが局所的に削り取られて破損したり、ベルトに大きな振動が発生したりすることが防止される。またさらに、掻取部が弧状にある一定の長さを有して延在することにより、高圧積されて溝条に沿って引き伸ばされた状態で固着してしまった異物でも確実に除去し得る。
【００１３】
また、本発明によるベルト用プーリーは、本発明によるベルト清浄具を備えて好適に構成されるものであり、すなわち、本発明による上述したベルト清浄具と、略円盤状を成し、ベルトの一方面と接触する外周壁を含み回動可能に設けられた回動部およびその回動部よりも芯側に配置された固定部を有するプーリー本体とを備える。
【００１４】
このような構成のベルト用プーリーが、例えば、複数のプーリーに掛け渡されて閉ループが形成されたベルトドライブシステムに追設されることにより、当該システムの駆動負荷を過度に増加させることなく、ベルトの溝条に堆積又は固着してた異物が、上述したベルト清浄具の作用によって十分に剥離・除去され得る。或いは、補機を駆動するためのプーリーが上記プーリー本体と同等の本体構成を備えていれば、そのプーリーに本発明のベルト清浄具を設けることにより、本発明のベルト用プーリーとして機能し得る。
【００１５】
また、ベルト清浄具を構成する掻取部を、ベルトの曲折部又はその曲折部の近傍に一層定置させ易くし、及び／又は、掻取部の形状をベルトの溝条に沿って延在可能に弧状に形成させ易くする観点から、具体的には、保持部がプーリー本体の固定部に取り付けられたものであると好ましい。
【００１６】
また、本発明によるベルトドライブシステムは、内燃機関に備わるクランクシャフトに接続された第１のプーリーと、内燃機関に備わる補機に接続された第２のプーリーと、帯状を成し、少なくとも一側に断面凹状を成すような溝条が形成されており、第１のプーリーと第２のプーリーとを結ぶ閉ループが形成されるように設けられたベルトとを備えるシステムである。
【００１７】
このように構成すれば、第１のプーリーがクランクシャフトによって駆動されることにより、第２のプーリーに接続された補機が駆動される内燃機関のベルトドライブシステムが構築される。そして、本発明によるベルト用プーリーが設けられるので、異物がベルトの溝条に強固に固着してしまうことが防止されると共に、万一異物が固着してしまった場合でも、その異物を早期に除去できる。よって、異物の堆積及び固着が進展することが確実に抑止される。なお、第２のプーリーがベルト用プーリーを兼ねるように設けても好ましい。
【００１８】
また、ベルト用プーリーが設置されることにより、第１のプーリーと第２のプーリーとの間、又は、第２のプーリーが複数あるときにそれらの間が、過度に大きく隔てられているときでも、そのベルト用プーリーが、ベルトを支持し、言わばテンショナーの機能をも果すので、ベルトの振動が更に一層防止される。
【発明の効果】
【００１９】
本発明のベルト清浄具、ベルト用プーリー、及びベルトドライブシステムによれば、ベルトの変位や振動に起因する影響を受けることなく、ベルトに異物が強固に固着してしまうことを防止でき、また、ベルト上に堆積して固着してしまった異物を十分に除去できる。
【発明を実施するための最良の形態】
【００２０】
以下、本発明の実施形態について詳細に説明する。なお、同一要素には同一の符号を付し、重複する説明を省略する。また、上下左右等の位置関係は、特に断らない限り、図面に示す位置関係に基づくものとする。また、図面の寸法比率は、図示の比率に限られるものではない。
【００２１】
図１は、本発明によるベルトドライブシステムの好適な実施形態の例を示す構成図である。ベルトドライブシステム１００は、車両の内燃機関Ｎに備わる複数の補機を駆動させるためのシステムであり、内燃機関Ｎの小型化及び軽量化に資するべく、サーペンタインベルトドライブシステムが採用されたものである。
【００２２】
ベルトドライブシステム１００は、クランクシャフト（図示せず）に接続されたクランクシャフトプーリー１０１、エアコンプーリー１０２、ウォーターポンププーリー１０３、オルタネータープーリー１０４、パワーステアリングプーリー１０５、及びオートテンショナー用アイドラプーリー１０６の全てに掛合するようにＶリブドベルトＶｂが引き回され、閉ループが形成されたものである。
【００２３】
これらのうち、エアコンプーリー１０２、ウォーターポンププーリー１０３、オルタネータープーリー１０４、及びパワーステアリングプーリー１０５は、それぞれ各種補機を駆動するためのものである。また、オートテンショナー用アイドラプーリー１０６は、オートテンショナー１１０を構成するものである。これにより、駆動時にＶリブドベルトＶｂへ所望の張力が付与され、ＶリブドベルトＶｂ及び補機類の高寿命化が図られると共に、ＶリブドベルトＶｂの交換脱着時にはその張力が開放されるように設けられ、もって保守性が高められている。
【００２４】
また、本実施形態では、プーリー間の距離が比較的長いオルタネータープーリー１０４とパワーステアリングプーリー１０５との間にベルト用プーリー１０が設けられており、或いは、クランクシャフトプーリー１０１とエアコンプーリー１０２との間にベルト用プーリー２０が設置されている。
【００２５】
図示において、実線で示すベルト経路は、ベルト用プーリー１０，２０が設置されていない状態、或いはそれらに代えて後述するベルト用プーリー３０が設置されている状態のＶリブドベルトＶａを示すものである。また、一点鎖線で示すベルト経路は、ベルト用プーリー１０，２０が設置されている状態のＶリブドベルトＶｂを示すものである。なお、本実施形態では、ベルト用プーリー１０，２０のうち少なくともいずれか一方が設けられていればよい。
【００２６】
図２は、ベルト用プーリー１０，２０を模式的に示す正面図である。また、図３は、図２におけるIII−III線に沿う断面図である。なお、ベルト用プーリー２０は、図１に示す如くＶリブドベルトＶｂへの掛合位置がベルト用プーリー１０と異なるが、両者の基本的な構成は同等であってよい。よって、図２においては、便宜のため両者を同一構成のものとして図示した。
【００２７】
また、回動部１１の外周壁１１ａには、断面が凹凸状を成すように複数の溝条１４及び山部１６が形成されている。ＶリブドベルトＶｂは、帯状を成しており、一方の面Ｓｍ（つまりＶリブドベルトＶｂの一側）に複数のＶ溝Ｍ（溝条）が形成され、それらのＶ溝Ｍが外周壁１１ａの山部１６にそれぞれ嵌合するように装着されている。また、ＶリブドベルトＶｂの他方の面Ｓｐは、本実施形態では平坦とされている。なお、ＶリブドベルトＶｂの材質は特に制限されず、車両等の内燃機関の補機駆動に一般的に用いられるものを使用できる。
【００２８】
ベルト清浄具１は、回動部１１の曲率に応じて弧状に延在する複数の平板部材２（掻取部）と、それらの一方端部に跨って接合された略コの字状を成す支持体３（保持部）とを有するものである。ベルト清浄具１は、全体として、ＶリブドベルトＶｂの曲折部Ｋ、すなわち、プーリー本体１０ａの回動部１１とＶリブドベルトＶｂとが接触してＶリブドベルトＶｂの走行方向角が変化する部位の近傍に設置されている。平板部材２は、曲折部Ｋにより近い位置に設けられる一方で、支持体３は、曲折部Ｋからより遠くＶリブドベルトＶｂと干渉しない位置に配置されている。
【００２９】
また、各平板部材２は、外周壁１１ａにおける各山部１６の断面中心部に嵌入されており、図示上部が山部１６の上端から若干突出するように設けられている。さらに、平板部材２は、ＶリブドベルトＶｂに異物が付着又は堆積していない状態で、Ｖ溝Ｍの底面（図３において上内面）と僅かな一定の間隙を有するように設置されている。一方、支持体３の両端部は、プーリー本体１０ａの固定部１２に適宜の方法で固定されており、これにより、回動部１１が回転してＶリブドベルトＶｂが摺動しても、ベルト清浄具１は相対的に静止した状態で保持される。
【００３０】
このように構成されたベルトドライブシステム１００によれば、内燃機関Ｎの運転により、クランクシャフトプーリー１０１が回転すると、ＶリブドベルトＶｂが一方向に摺動され、各種プーリー１０２〜１０６の回転によりそれぞれに接続された補機が駆動される。このとき、ＶリブドベルトＶｂは各種プーリー１０１〜１０６と接触しながら回転されるので、徐々に磨耗する傾向にある。これにより、磨耗粉が不可避的に発生してしまうが、それ自体がベルトドライブシステム１００の運転に直接的な悪影響を及ぼすおそれは少ない。しかし、このような磨耗粉や外部から持ち込まれた塵埃等の異物がＶリブドベルトＶｂのＶ溝Ｍに付着した状態でベルトドライブシステム１００の運転が継続されると、それらの異物がＶ溝Ｍの内面上に固着するおそれがある。
【００３１】
ここで、図６（Ａ）及び（Ｂ）は、それぞれ、異物が堆積して固着した状態のＶリブドベルトＶｂ（Ｖａも併記する。）の一部を示す平面図及び側断面図である。Ｖ溝Ｍに付着した異物９は、各プーリー１０１，１０２，１０４，１０５の外周壁と面Ｓｍとの接触によって圧積（圧縮）され、引き伸ばされた状態でＶ溝Ｍの内面上に固着する傾向にある。この状態を放置すると、その固着部位を起点として異物９の堆積、圧積、及び固着が更に進展するおそれがある。
【００３２】
これに対し、ベルトドライブシステム１００では、異物９が堆積して固着していくと、ベルト清浄具１の平板部材２と異物９との間隙が狭まり、やがて両者が接触するようになる。その状態で、内燃機関Ｎの運転によりＶリブドベルトＶｂが回転すると、平板部材２によって異物９が掻き取られ、異物９はＶ溝Ｍから剥離されてＶリブドベルトＶｂから除去される。
【００３３】
このとき、平板部材２がＶリブドベルトＶｂの曲折部Ｋの近傍に定置されているので、その部位では、ＶリブドベルトＶｂの駆動によって発生し得る不可避的な振動の影響を受け難く、ＶリブドベルトＶｂの変位が殆どない。よって、異物９と平板部材２とが連続して十分に接触するので、異物９を確実に除去できる。したがって、ＶリブドベルトＶｂのＶ溝Ｍに不都合な量の異物９が固着してしまうことを防止できる。その結果、ＶリブドベルトＶｂの‘滑り’による空回りや滑落を十分に抑止できる。
【００３４】
また、ベルト清浄具１が曲折部Ｋの近傍に設置されているので、平板部材２がＶリブドベルトＶｂと接触しても、ＶリブドベルトＶｂを不都合に振動させてしまうおそれがない。よって、異物９を更に確実に且つ十分に除去できると共に、ベルトドライブシステム１００ひいては各種補機の円滑な駆動を維持できる。
【００３５】
さらに、平板部材２が弧状を成してＶリブドベルトＶｂのＶ溝Ｍに沿って延在しているので、その上端部が一定の長さを有して鋭端となり難い。よって、ＶリブドベルトＶｂが平板部材２に沿って摺動する際に応力の集中が抑えられる。よって、ＶリブドベルトＶｂが削り取られる程に破損したり、ＶリブドベルトＶｂに振動が発生してしまうことを一層防止できる。またさらに、平板部材２が弧状で一定の長さを有して延在するので、高圧積されてＶ溝Ｍの内面上に長く引き伸ばされて連続的に固着してしまった異物９（図６（Ａ）参照）を確実に剥離・除去できる。
【００３６】
さらにまた、ベルト用プーリー１０，２０が、それぞれ、配置間隔が比較的大きいオルタネータープーリー１０４とパワーステアリングプーリー１０５との間、及び、クランクシャフトプーリー１０１とエアコンプーリー１０２との間に設けられているので、ＶリブドベルトＶｂにおいて支持されておらず振動し易い部分の長さを短縮できる。これにより、ベルト用プーリー１０，２０がテンショナーの機能をも果し、ＶリブドベルトＶｂの振動を一層抑制でき、且つ、ＶリブドベルトＶｂと補機の更なる高寿命化に寄与できる。
【００３７】
図４は、本発明によるベルト用プーリーの他の実施形態を模式的に示す正面図である。また、図５は、図４におけるV−V線に沿う断面図である。ベルト用プーリー３０は、オートテンショナー用アイドラプーリー１０６を兼ねるものであり、略円盤状を成すプーリー本体３０ａにベルト清浄具５が固定されたものである。プーリー本体３０ａは、主として、ＶリブドベルトＶａと接触し且つそれを駆動するように軸心回りに回動可能な回動部２１と、軸心部に固定され且つ回動部２１とベアリング（図示せず）を介して組み合わされた固定部２２とから構成されている。
【００３８】
また、回動部２１の外周壁２１ａは、略平坦に形成されており、ＶリブドベルトＶａの他方面Ｓｐが接するようにされている。ベルト清浄具５は、図４に示す如く、ＶリブドベルとＶａの曲折部Ｋに配置されており、略コの字状を成す枠体７（保持部）におけるＶリブドベルトＶａと対向する部位に、回動部２１及び曲折部Ｋの曲率に応じて弧状に延在する複数の突出部６（掻取部）が形成されたものである。
【００３９】
各突出部６は、ＶリブドベルトＶａのＶ溝Ｍに向かって突設されており、ＶリブドベルトＶａに異物が堆積していない状態で、Ｖ溝Ｍの底面と僅かな一定の間隙を有して設置されている。一方、枠体７の両端部は、プーリー本体３０ａの固定部２２に適宜の方法で固定されており、これにより、回動部２１が回転してＶリブドベルトＶａが摺動しても、ベルト清浄具５は相対的に静止した状態で保持される。
【００４０】
このように構成されたベルト用プーリー３０を備えるベルトドライブシステム１００によれば、Ｖ溝Ｍが外方を向いている状態で、そのＶ溝Ｍの底面に堆積し得る異物９が突出部６によって掻き取られて剥離・除去されるので、その異物９の除去片の再混入を一層防止できる。また、ベルト用プーリー３０がオートテンショナー用アイドラプーリー１０６を兼ねるので、新たなプーリーを設置する場所を確保する必要がなく、汎用性を向上できる。なお、その他の主な作用・効果については、ベルト用プーリー１０，２０を用いたベルトドライブシステム１００と同等であるので、重複を避けるため、ここでの説明を省略する。
【００４１】
なお、本発明は上述した実施形態に限定されるものではなく、その要旨を変更しない限度において様々な変形が可能である。例えば、ベルト用プーリー１０，２０を設ける代わりに、クランクシャフトプーリー１０１、エアコンプーリー１０２、オルタネータープーリー１０４、及びパワーステアリングプーリー１０５の少なくとも一つにベルト清浄具１を設置してもよい。この場合、ベルト清浄具１が設けられたプーリーは、本発明によるベルト用プーリーとして機能する。或いは、ウォーターポンププーリー１０３にベルト清浄具５を設置しても同様に好ましい。さらに、複数のＶリブドベルトＶａ，Ｖｂによって各プーリーを駆動するベルトドライブシステムとしても構わない。
【産業上の利用可能性】
【００４２】
本発明によるベルト清浄具、ベルト用プーリー、及びベルトドライブシステムは、ベルトの変位や振動に起因する影響を受けることなく、ベルトに異物が強固に固着してしまうことを防止できると共に、ベルト上に堆積して固着してしまった異物を十分に除去できるので、内燃機関を備える機器、動機、設備等、特に高出力運転が要求される動機等に広く利用できる。
【図面の簡単な説明】
【００４３】
【図１】本発明によるベルトドライブシステムの好適な実施形態の例を示す構成図である。
【図２】ベルト用プーリー１０，２０を模式的に示す正面図である。
【図３】図２におけるIII−III線に沿う断面図である。
【図４】本発明によるベルト用プーリーの他の実施形態を模式的に示す正面図である。
【図５】図４におけるV−V線に沿う断面図である。
【図６】図６（Ａ）及び（Ｂ）は、それぞれ、異物が堆積して固着した状態のＶリブドベルトＶｂ（Ｖａも併記する。）の一部を示す平面図及び側断面図である。
【符号の説明】
【００４４】
１，５…ベルト清浄具、２…平板部材（掻取部）、３…支持体（保持部）、６…突出部（掻取部）、７…枠体（保持部）、９…異物、１０ａ，３０ａ…プーリー本体、１０，２０，３０…ベルト用プーリー、１１，２１…回動部、１１ａ，２１ａ…外周壁、１２，２２…固定部、１４…溝条、１６…山部、１００…ベルトドライブシステム、１０１…クランクシャフトプーリー、１０２…エアコンプーリー、１０３…ウォーターポンププーリー、１０４…オルタネータープーリー、１０５…パワーステアリングプーリー、１０６…オートテンショナー用アイドラプーリー、１１０…オートテンショナーＫ…曲折部、Ｍ…Ｖ溝（溝条）、Ｎ…内燃機関、Ｓｍ，Ｓｐ…面、Ｖａ，Ｖｂ…Ｖリブドベルト。
【図１】
2005172043.tif 000003
【図２】
2005172043.tif 000004
【図３】
2005172043.tif 000005
【図４】
2005172043.tif 000006
【図５】
2005172043.tif 000007
【図６】
2005172043.tif 000008